(57)【要約】【課題】受信装置が消費する消費電力をより低減させることが可能なフレーム生成装置を提供すること。【解決手段】無線通信で使用するフレーム内の情報を受信する受信装置と同期を取るための情報である同期情報と、データを送信する前記フレーム内のアドレスを示すアドレス情報と、受信装置に送信するデータとを、同期情報とアドレス情報とデータとの順に含むフレームを生成するフレーム生成部と、フレーム内でアドレス情報の送信が開始されるタイミングを示すアドレス情報送信開始情報を生成するアドレス情報送信開始情報生成部と、アドレス情報送信開始情報を含んだ同期情報を生成する同期情報生成部とを含むフレーム生成装置である。【選択図】図２
2014099903.tif 000002
【特許請求の範囲】
【請求項１】
無線通信で使用するフレーム内の情報を受信する受信装置と同期を取るための情報である同期情報と、データを送信する前記フレーム内のアドレスを示すアドレス情報と、前記受信装置に送信するデータとを、同期情報とアドレス情報とデータとの順に含むフレームを生成するフレーム生成部と、
前記フレーム内で前記アドレス情報の送信が開始されるタイミングを示すアドレス情報送信開始情報を生成するアドレス情報送信開始情報生成部と、
前記アドレス情報送信開始情報を含んだ前記同期情報を生成する同期情報生成部と
を含むフレーム生成装置。
【請求項２】
無線通信で使用するフレームを送信する送信装置と同期を取るための情報である同期情報と、データを送信する前記フレーム内のアドレスを示すアドレス情報と、前記受信装置に送信するデータとを、同期情報とアドレス情報とデータとの順に含むフレーム内で前記アドレス情報の送信が開始されるタイミングを示すアドレス情報送信開始情報を含んだ前記同期情報と、前記アドレス情報と、前記データとを受信する受信部と、
前記アドレス情報送信開始情報に基づいて、前記アドレス情報が送信されるまで、前記受信部に供給する電源を遮断する電源制御部とを含む受信装置。
【請求項３】
フレーム生成装置と、
受信装置と、
前記フレーム生成装置が生成した前記フレームを前記受信装置に送信する送信装置と
を含み、
前記フレーム生成装置は、
無線通信で使用するフレーム内の情報を受信する受信装置と同期を取るための情報である同期情報と、データを送信する前記フレーム内のアドレスを示すアドレス情報と、前記受信装置に送信するデータとを、同期情報とアドレス情報とデータとの順に含むフレームを生成するフレーム生成部と、
前記フレーム内で前記アドレス情報の送信が開始されるタイミングを示すアドレス情報送信開始情報を生成するアドレス情報送信開始情報生成部と、
前記アドレス情報送信開始情報を含んだ前記同期情報を生成する同期情報生成部と
を含み、
前記受信装置は、
無線通信で使用するフレームを送信する送信装置と同期を取るための情報である同期情報と、データを送信する前記フレーム内のアドレスを示すアドレス情報と、前記受信装置に送信するデータとを、同期情報とアドレス情報とデータとの順に含むフレーム内で前記アドレス情報の送信が開始されるタイミングを示すアドレス情報送信開始情報を含んだ前記同期情報と、前記アドレス情報と、前記データとを受信する受信部と、
前記アドレス情報送信開始情報に基づいて、前記アドレス情報が送信されるまで、前記受信部に供給する電源を遮断する電源制御部と
を含む
データ送受信システム。
【請求項４】
無線通信で使用するフレーム内の情報を受信する受信装置と同期を取るための情報である同期情報と、データを送信する前記フレーム内のアドレスを示すアドレス情報と、前記受信装置に送信するデータとを、同期情報とアドレス情報とデータとの順に含むフレームを生成するフレーム生成ステップと、
前記フレーム内で前記アドレス情報の送信が開始されるタイミングを示すアドレス情報送信開始情報を生成するアドレス情報送信開始情報生成ステップと、
前記アドレス情報送信開始情報を含んだ前記同期情報を生成する同期情報生成ステップと
を含むフレーム生成方法。
【請求項５】
受信部と、判断部と、電源制御部とを含む受信装置の受信方法において、
無線通信で使用するフレームを送信する送信装置と同期を取るための情報である同期情報と、データを送信する前記フレーム内のアドレスを示すアドレス情報と、前記受信装置に送信するデータとを、同期情報とアドレス情報とデータとの順に含むフレーム内で、前記アドレス情報の送信が開始されるタイミングを示すアドレス情報送信開始情報を含んだ前記同期情報と、前記アドレス情報と、前記データとを前記受信部が受信する受信ステップと、
前記アドレス情報送信開始情報に基づいて、前記アドレス情報が送信されるまで前記電源制御部が前記受信部に供給する電源を遮断する電源制御ステップと
を含む受信方法。
【発明の詳細な説明】
【技術分野】
【０００１】
本発明は、無線通信を行うための、フレーム生成装置、受信装置、データ送受信システム、フレーム生成方法および受信方法に関する。
本願は、２００８年８月５日に、日本に出願された特願２００８−２０２２５８号に基づき優先権を主張し、その内容をここに援用する。
【背景技術】
【０００２】
従来、送信装置から複数の受信装置宛に無線通信を用いてデータ送信を行うデータ送受信システムにおいては、同期情報と、複数の受信装置の中からデータを送信する対象の受信装置を識別して呼び出すためのアドレス情報と、受信装置宛のデータとを含んだフレームを用いてデータを送信することが知られている（例えば、特許文献１参照）。
【先行技術文献】
【特許文献】
【０００３】
【特許文献１】特開２００１−３２６６００号公報
【発明の概要】
【発明が解決しようとする課題】
【０００４】
しかしながら、特許文献１に記載のデータ送受信システムでは、各受信装置は同期情報の次に送信されるアドレス情報の内容を確認して、自受信装置宛のデータが送信されるか否か判断を行う。そのため、受信装置は必ずアドレス情報を確認する必要があるため、受信動作時間が長くなる。よって、受信装置が消費する電力は大きいという問題がある。また、受信装置が消費する電力が大きいため、受信装置が電池で動作しているケースにおいては電池動作時間が短くなってしまうという問題がある。
本発明は上記の課題を解決するためになされたものであり、受信装置が消費する消費電力をより低減させることが可能なフレーム生成装置、受信装置、データ送受信システム、フレーム生成方法および受信方法を提供することを目的とする。
【課題を解決するための手段】
【０００５】
本発明に係るフレーム生成装置は、無線通信で使用するフレーム内の情報を受信する受信装置と同期を取るための情報である同期情報と、データを送信する前記フレーム内のアドレスを示すアドレス情報と、前記受信装置に送信するデータとを、同期情報とアドレス情報とデータとの順に含むフレームを生成するフレーム生成部と、前記フレームに前記データが含まれているか否かを示す配信データ有無情報を生成する有無情報生成部と、前記配信データ有無情報を含んだ前記同期情報を生成する同期情報生成部とを含む。
【０００６】
また、本発明に係るフレーム生成装置は、無線通信で使用するフレーム内の情報を受信する受信装置と同期を取るための情報である同期情報と、データを送信する前記フレーム内のアドレスを示すアドレス情報と、前記受信装置に送信するデータとを、同期情報とアドレス情報とデータとの順に含むフレームを生成するフレーム生成部と、前記フレーム内で前記アドレス情報の送信が開始されるタイミングを示すアドレス情報送信開始情報を生成するアドレス情報送信開始情報生成部と、前記アドレス情報送信開始情報を含んだ前記同期情報を生成する同期情報生成部とを含む。
【０００７】
また、本発明に係る受信装置は、無線通信で使用するフレームを送信する送信装置と同期を取るための情報である同期情報と、データを送信する前記フレーム内のアドレスを示すアドレス情報と、前記受信装置に送信するデータとを、同期情報とアドレス情報とデータとの順に含むフレーム内で、前記データが含まれているか否かを示す配信データ有無情報を含んだ前記同期情報と、前記アドレス情報と、前記データとを受信する受信部と、前記配信データ有無情報に基づいて、前記アドレス情報が前記フレームで送信されるか否か判断する判断部と、前記受信部の電源を制御する電源制御部とを含み、前記判断部が前記アドレス情報は送信されると判断した場合、前記電源制御部は、前記受信部に電源を供給し、前記判断部が前記アドレス情報は送信されないと判断した場合、前記電源制御部は、前記受信部に供給する電源を遮断する。
【０００８】
また、本発明に係る受信装置は、無線通信で使用するフレームを送信する送信装置と同期を取るための情報である同期情報と、データを送信する前記フレーム内のアドレスを示すアドレス情報と、前記受信装置に送信するデータとを、同期情報とアドレス情報とデータとの順に含むフレーム内で前記アドレス情報の送信が開始されるタイミングを示すアドレス情報送信開始情報を含んだ前記同期情報と、前記アドレス情報と、前記データとを受信する受信部と、前記アドレス情報送信開始情報に基づいて、前記アドレス情報が送信されるまで、前記受信部に供給する電源を遮断する電源制御部とを含む。
【０００９】
また、本発明に係るデータ送受信システムは、フレーム生成装置と、受信装置と、前記フレーム生成装置が生成した前記フレームを前記受信装置に送信する送信装置とを含み、前記フレーム生成装置は、無線通信で使用するフレーム内の情報を受信する受信装置と同期を取るための情報である同期情報と、データを送信する前記フレーム内のアドレスを示すアドレス情報と、前記受信装置に送信するデータとを、同期情報とアドレス情報とデータとの順に含むフレームを生成するフレーム生成部と、前記フレームに前記データが含まれているか否かを示す配信データ有無情報を生成する有無情報生成部と、前記配信データ有無情報を含んだ前記同期情報を生成する同期情報生成部とを含み、前記受信装置は、無線通信で使用するフレームを送信する送信装置と同期を取るための情報である同期情報と、データを送信する前記フレーム内のアドレスを示すアドレス情報と、前記受信装置に送信するデータとを、同期情報とアドレス情報とデータとの順に含むフレーム内で、前記データが含まれているか否かを示す配信データ有無情報を含んだ前記同期情報と、前記アドレス情報と、前記データとを受信する受信部と、前記配信データ有無情報に基づいて、前記アドレス情報が前記フレームで送信されるか否か判断する判断部と、前記受信部の電源を制御する電源制御部とを含み、前記判断部が前記アドレス情報は送信されると判断した場合、前記電源制御部は、前記受信部に電源を供給し、前記判断部が前記アドレス情報は送信されないと判断した場合、前記電源制御部は、前記受信部に供給する電源を遮断する。
【００１０】
更に、本発明に係るデータ送受信システムは、フレーム生成装置と、受信装置と、前記フレーム生成装置が生成した前記フレームを前記受信装置に送信する送信装置とを含み、前記フレーム生成装置は、無線通信で使用するフレーム内の情報を受信する受信装置と同期を取るための情報である同期情報と、データを送信する前記フレーム内のアドレスを示すアドレス情報と、前記受信装置に送信するデータとを、同期情報とアドレス情報とデータとの順に含むフレームを生成するフレーム生成部と、前記フレーム内で前記アドレス情報の送信が開始されるタイミングを示すアドレス情報送信開始情報を生成するアドレス情報送信開始情報生成部と、前記アドレス情報送信開始情報を含んだ前記同期情報を生成する同期情報生成部とを含み、前記受信装置は、無線通信で使用するフレームを送信する送信装置と同期を取るための情報である同期情報と、データを送信する前記フレーム内のアドレスを示すアドレス情報と、前記受信装置に送信するデータとを、同期情報とアドレス情報とデータとの順に含むフレーム内で前記アドレス情報の送信が開始されるタイミングを示すアドレス情報送信開始情報を含んだ前記同期情報と、前記アドレス情報と、前記データとを受信する受信部と、前記アドレス情報送信開始情報に基づいて、前記アドレス情報が送信されるまで、前記受信部に供給する電源を遮断する電源制御部とを含む。
【００１１】
また、本発明に係るフレーム生成方法は、無線通信で使用するフレーム内の情報を受信する受信装置と同期を取るための情報である同期情報と、データを送信する前記フレーム内のアドレスを示すアドレス情報と、前記受信装置に送信するデータとを、同期情報とアドレス情報とデータとの順に含むフレームを生成するフレーム生成ステップと、前記フレームに前記データが含まれているか否かを示す配信データ有無情報を生成する有無情報生成ステップと、前記配信データ有無情報を含んだ前記同期情報を生成する同期情報生成ステップとを含む。
【００１２】
また、本発明に係るフレーム生成方法は、無線通信で使用するフレーム内の情報を受信する受信装置と同期を取るための情報である同期情報と、データを送信する前記フレーム内のアドレスを示すアドレス情報と、前記受信装置に送信するデータとを、同期情報とアドレス情報とデータとの順に含むフレームを生成するフレーム生成ステップと、前記フレーム内で前記アドレス情報の送信が開始されるタイミングを示すアドレス情報送信開始情報を生成するアドレス情報送信開始情報生成ステップと、前記アドレス情報送信開始情報を含んだ前記同期情報を生成する同期情報生成ステップとを含む。
【００１３】
また、本発明に係る受信方法は、受信部と、判断部と、電源制御部とを含む受信装置の受信方法において、無線通信で使用するフレームを送信する送信装置と同期を取るための情報である同期情報と、データを送信する前記フレーム内のアドレスを示すアドレス情報と、前記受信装置に送信するデータとを、同期情報とアドレス情報とデータとの順に含むフレーム内で、前記データが含まれているか否かを示す配信データ有無情報を含んだ前記同期情報と、前記アドレス情報と、前記データとを前記受信部が受信する受信ステップと、前記配信データ有無情報に基づいて、前記アドレス情報が前記フレームで送信されるか否か前記判断部が判断する判断ステップと、前記電源制御部が前記受信部の電源を制御する電源制御ステップと、を含み、前記判断ステップで前記アドレス情報は送信されると判断した場合、前記電源制御ステップでは前記受信部に電源を供給し、前記判断ステップで前記アドレス情報は送信されないと判断した場合、前記電源制御ステップでは前記受信部に供給する電源を遮断する。
【００１４】
また、本発明に係る受信方法は、受信部と、判断部と、電源制御部とを含む受信装置の受信方法において、無線通信で使用するフレームを送信する送信装置と同期を取るための情報である同期情報と、データを送信する前記フレーム内のアドレスを示すアドレス情報と、前記受信装置に送信するデータとを、同期情報とアドレス情報とデータとの順に含むフレーム内で、前記アドレス情報の送信が開始されるタイミングを示すアドレス情報送信開始情報を含んだ前記同期情報と、前記アドレス情報と、前記データとを前記受信部が受信する受信ステップと、前記アドレス情報送信開始情報に基づいて、前記アドレス情報が送信されるまで前記電源制御部が前記受信部に供給する電源を遮断する電源制御ステップとを含む。
【発明の効果】
【００１５】
本発明は、受信装置が消費する消費電力をより低減させることができるという利点がある。
【図面の簡単な説明】
【００１６】
【図１】第一の実施形態におけるデータ送受信システムの構成を示した構成図である。
【図２】第一の実施形態におけるデータ配信管理装置の物理構成を示したブロック図である。
【図３】第一の実施形態におけるデータ配信管理装置の機能構成を示したブロック図である。
【図４】第一の実施形態における無線基地局の物理構成を示したブロック図である。
【図５】第一の実施形態における無線基地局の機能構成を示したブロック図である。
【図６】第一の実施形態における受信装置の物理構成を示したブロック図である。
【図７】第一の実施形態における受信装置機能構成を示したブロック図である。
【図８】第一の実施形態におけるフレームの構成を示した構成図である。
【図９】第一の実施形態におけるデータ配信管理装置と無線基地局との動作の手順を示したフローチャートである。
【図１０】第一の実施形態における受信装置の動作の手順を示したフローチャートである。
【図１１】第一の実施形態における受信装置の無線回路に供給される電源のオン／オフのタイミングを示す図である。
【図１２】第一の実施形態における受信装置の無線回路に供給される電源のオン／オフのタイミングを示す図である。
【図１３】第二の実施形態におけるデータ送受信システムの構成を示した構成図である。
【図１４】第二の実施形態におけるデータ配信管理装置の機能構成を示したブロック図である。
【図１５】第二の実施形態における受信装置の機能構成を示したブロック図である。
【図１６】第二の実施形態における無線基地局が情報を送信するタイミングを示した図である。
【図１７】第二の実施形態におけるフレームの構成を示した構成図である。
【図１８】第二の実施形態におけるデータ配信管理装置と無線基地局との動作の手順を示したフローチャートである。
【図１９】第二の実施形態における受信装置の動作の手順を示したフローチャートである。
【図２０】第二の実施形態における受信装置の無線回路に供給される電源のオン／オフのタイミングを示す図である。
【図２１】第三の実施形態における受信装置の無線回路に供給される電源のオン／オフのタイミングを示す図である。
【図２２】第四の実施形態における受信装置の無線回路に供給される電源のオン／オフのタイミングを示す図である。
【発明を実施するための形態】
【００１７】
（第一の実施形態）
以下、本発明の第一の実施形態について図面を参照して説明する。図１は、本実施形態におけるデータ送受信システムの構成を示した構成図である。図示する例では、データ送受信システムにはデータ配信管理装置１（フレーム生成装置）と、無線基地局２（送信装置）と、受信装置３（３−１〜３−ｎ）とが含まれる。
【００１８】
データ配信管理装置１と無線基地局２とは有線または無線のネットワークで接続されており、互いに情報を送受信することが可能である。また、無線基地局２は、単数または複数の受信装置３と無線のネットワークで接続されており、互いに情報を送受信することが可能である。図示する例では、無線基地局２は、受信装置３と無線のネットワークで接続されており、互いに情報を送受信することができる。
【００１９】
データ配信管理装置１は、無線基地局２を介して受信装置３に送信するフレームを生成する。フレームについては後述する。また、データ配信管理装置１は、作成したフレームを受信装置３に送信するタイミングを管理する。
【００２０】
無線基地局２は、データ配信管理装置１より送信されたフレームを受信装置３に送信する。受信装置３は、データ配信管理装置１より無線基地局２を介して送信されたフレームに含まれる情報を受信する。
【００２１】
なお、本実施形態のデータ送受信システムは、例えば、電子棚札システムである。具体的には、受信装置３は表示部を備えた電子棚札であり、データ配信管理装置１は、無線基地局２を介して、受信装置３の表示部に表示させる商品名および商品の価格等の情報を受信装置３に送信する。また、データ配信管理装置１より送信された商品名および商品の価格等の情報を受信した受信装置３は、受信した商品名および商品の価格等の情報に基づいて、自身が備える表示部に商品名および商品の価格等を表示する。
【００２２】
図２は、本実施形態におけるデータ配信管理装置１の物理構成を示したブロック図である。図示する例では、データ配信管理装置１は、ＣＰＵ（Ｃｅｎｔｒａｌ  Ｐｒｏｃｅｓｓｉｎｇ  Ｕｎｉｔ、中央演算処理装置）２１と、ＲＯＭ（Ｒｅａｄ  Ｏｎｌｙ  Ｍｅｍｏｒｙ、読み出し専用メモリ）２２と、ＲＡＭ（Ｒａｎｄｏｍ  Ａｃｃｅｓｓ  Ｍｅｍｏｒｙ、ランダムアクセスメモリ）２３と、表示部２４と、データインタフェース２５と、入力部２６とを備える。
【００２３】
ＣＰＵ２１は、データ配信管理装置１の処理を実施する。ＲＯＭ２２およびＲＡＭ２３は、データ配信管理装置１が使用する情報を記憶する。表示部２４は、例えば、液晶ディスプレイなどであり、情報を表示する。データインタフェース２５は、他の装置と情報の送受信を行う。入力部２６は、データ配信管理装置１への入力を受け付ける。
【００２４】
図３は、本実施形態におけるデータ配信管理装置１の機能構成を示したブロック図である。図示する例では、データ配信管理装置１は、配信データ記憶部３１と、配信データ制御部３２と、接続情報管理部３３と、送信情報生成部３４と、フレームデータ生成部３５と、データ配信部３６とを備える。
【００２５】
また、送信情報生成部３４は、同期情報生成部３４１と、アドレス情報生成部３４２と、データ生成部３４３と、配信データ有無情報生成部３４４とを備える。
【００２６】
配信データ記憶部３１は、受信装置３に配信する情報を記憶する。配信データ制御部３２は、配信データ記憶部３１が記憶する情報を制御する。接続情報管理部３３は、受信装置３と接続するための情報を管理する。送信情報生成部３４は、受信装置３に送信する情報を生成する。フレームデータ生成部３５は、送信情報生成部３４が生成した情報に基づいてフレームを生成する。データ配信部３６は、無線基地局２と通信を行う。同期情報生成部３４１は、後述する同期情報Ｓを生成する。アドレス情報生成部３４２は、後述するアドレス情報Ａを生成する。データ生成部３４３は、後述するデータＤを生成する。配信データ有無情報生成部３４４は、後述する配信データ有無情報Ｈを生成する。
【００２７】
図４は、本実施形態における無線基地局２の物理構成を示したブロック図である。図示する例では、無線基地局２は、ＣＰＵ４１と、ＲＯＭ４２と、ＲＡＭ４３と、無線回路４４と、データインタフェース４５とを備える。
【００２８】
ＣＰＵ４１は、無線基地局２の処理を実施する。ＲＯＭ４２およびＲＡＭ４３は、無線基地局２が使用する情報を記憶する。無線回路４４は、他の装置と無線通信により情報の送受信を行う。データインタフェース４５は、他の装置と情報の送受信を行う。
【００２９】
図５は、本実施形態における無線基地局２の機能構成を示したブロック図である。図示する例では、無線基地局２は、データ受信部５１と、フレーム送信制御部５２と、タイミング制御部５３と、無線通信部５４とを備える。
【００３０】
データ受信部５１は、データ配信管理装置１と通信を行う。フレーム送信制御部５２は、受信装置３へのフレームの送信を制御する。タイミング制御部５３は、受信装置３に情報を送信するタイミングを制御する。無線通信部５４は、受信装置３と通信を行う。
【００３１】
図６は、本実施形態における受信装置３の物理構成を示したブロック図である。図示する例では、受信装置３は、ＣＰＵ６１と、ＲＯＭ６２と、ＲＡＭ６３と、無線回路６４と、表示部６５と、電池６６とを備える。
【００３２】
ＣＰＵ６１は、受信装置３の処理を実施する。ＲＯＭ６２およびＲＡＭ６３は、受信装置３が使用する情報を記憶する。無線回路６４は、他の装置と無線通信により情報の送受信を行う。表示部６５は、例えば、液晶パネルなどであり、情報を表示する。電池６６は、受信装置３で使用する電力を供給する。
【００３３】
図７は、本実施形態における受信装置３の機能構成を示したブロック図である。図示する例では、受信装置３は、制御部７１と、無線通信部７２と、スイッチ部７３と、電池７４とを備える。
【００３４】
また、制御部７１は、配信データ有無検出部７１１と、受信時刻設定部７１２と、時刻情報部７１３と、電源制御部７１４と、アドレス情報記憶部７１５とを備える。
【００３５】
制御部７１は、無線基地局２との通信制御を行う。無線通信部７２は、無線回路を有し無線基地局２と通信を行う。スイッチ部７３は、無線通信部７２の無線回路に流れる電流のスイッチである。電池７４は、受信装置３が使用する電力を供給する。配信データ有無検出部７１１は、無線基地局２からデータＤが送信されるか否か検出する。受信時刻設定部７１２は、無線基地局２から送信される情報を受信する時刻を設定する。時刻情報部７１３は、時刻（クロック）を生成する。電源制御部７１４は、スイッチ部７３を用いて、無線通信部７２の無線回路に流れる電流を制御する。アドレス情報記憶部７１５は、自身固有のアドレス情報を記憶する。
【００３６】
次に、本実施形態におけるフレームの構成について説明する。図８は、本実施形態におけるフレームの構成を示した構成図である。フレームは、同期情報Ｓと、アドレス情報Ａと、データＤとを含む。図示する例は、図１の受信装置３−１〜３−ｎが８つの場合を示し、１つのフレームに、同期情報Ｓと、アドレス情報Ａ１〜Ａ８と、データＤ１〜Ｄ８とが順に含まれている。これは、アドレス情報Ａ1からＡ８で識別される８台の受信装置にデータを送信する場合の例を示している。また、同期情報の構成例として、図示する例では、同期情報Ｓにはビット同期情報Ｂと、フレーム情報Ｆと、配信データ有無情報Ｈとが含まれている。
【００３７】
同期情報Ｓは、ビット同期情報Ｂと、フレーム情報Ｆと、配信データ有無情報Ｈとからなる情報である。ビット同期情報Ｂは、無線基地局２と、受信装置３との同期を合わせるための情報である。フレーム情報Ｆは、無線基地局２が送信する本フレームの情報を受信装置３に知らせるための情報である。例えは、フレーム情報Ｆは、無線基地局２のＩＤ情報や、フレームの周期情報など、受信装置３が無線基地局２と同期をとり動作するために必要な情報である。
【００３８】
配信データ有無情報Ｈは、本フレーム内にデータＤが含まれているか否かを示す情報である。例えば、配信データ有無情報は１ビット（ｂｉｔ）で表され、本フレーム内にデータＤが含まれている場合は「１」であり、本フレーム内にデータＤが含まれていない場合は「０」である。なお、配信データ有無情報Ｈのデータ量は出来るだけ少ない量（例えば、１ｂｉｔ）とする。
【００３９】
アドレス情報Ａは、データＤが送信される本フレーム内の受信装置３のアドレスを示す。データＤは、本フレーム内に前記アドレス情報Ａで示された受信装置３に送信するデータである。例えば、受信装置３が電子棚札の場合では、データＤは商品名および商品の価格等の情報である。
【００４０】
次に、本実施形態におけるデータ配信管理装置１と無線基地局２との動作を説明する。図９は、本実施形態におけるデータ配信管理装置１と無線基地局２との動作の手順を示したフローチャートである。
【００４１】
（ステップＳ１０１）データ配信管理装置１の接続情報管理部３３は、フレームを生成する時刻であるか否か判断する。フレームを生成する時刻と判断した場合はステップＳ１０２に進み、それ以外の場合はステップＳ１０１の処理に戻る。
【００４２】
（ステップＳ１０２）データ配信管理装置１のフレームデータ生成部３５は、フレームの生成を開始する。その後、ステップＳ１０３に進む。
（ステップＳ１０３）データ配信管理装置１の配信データ制御部３２は、配信データ記憶部３１に、配信するデータがあるか否か判断する。配信するデータがあると判断した場合はステップＳ１０４に進み、それ以外の場合はステップＳ１１７に進む。
【００４３】
（ステップＳ１０４）データ配信管理装置１の配信データ有無情報生成部３４４は、配信データ有無情報Ｈを生成する。ステップＳ１０３で配信するデータがあると判断したため、配信データ有無情報生成部３４４が生成した配信データ有無情報Ｈの値は「１」である。その後、ステップＳ１０５に進む。
【００４４】
（ステップＳ１０５）データ配信管理装置１の同期情報生成部３４１は、ビット同期情報Ｂを生成する。その後、ステップＳ１０６に進む。
（ステップＳ１０６）データ配信管理装置１の同期情報生成部３４１は、フレーム情報Ｆを生成する。その後、ステップＳ１０７に進む。
【００４５】
（ステップＳ１０７）データ配信管理装置１の同期情報生成部３４１は、ステップＳ１０４〜ステップＳ１０６で生成した、配信データ有無情報Ｈと、ビット同期情報Ｂと、フレーム情報Ｆとに基づいて、同期情報Ｓを生成する。その後、ステップＳ１０８に進む。
【００４６】
（ステップＳ１０８）データ配信管理装置１のアドレス情報生成部３４２は、アドレス情報Ａを生成する。その後、ステップＳ１０９に進む。
（ステップＳ１０９）データ配信管理装置１のデータ情報生成部３４３は、データＤを生成する。その後、ステップＳ１１０に進む。
【００４７】
（ステップＳ１１０）データ配信管理装置１のフレームデータ生成部３５は、ステップＳ１０７〜ステップＳ１０９で生成した、同期情報Ｓと、アドレス情報Ａと、データＤとに基づいて、フレームを生成する。また、データ配信管理装置１のデータ配信部３６は、生成したフレームを無線基地局２に送信する。無線基地局２のデータ受信部５１は、データ配信管理装置１より送信されたフレームを受信する。その後、ステップＳ１１１に進む。
【００４８】
（ステップＳ１１１）無線基地局２のタイミング制御部５３は、同期情報Ｓを送信する時刻であるか否か判断する。同期情報Ｓを送信する時刻と判断した場合、ステップＳ１１２に進み、それ以外の場合はステップＳ１１１に戻る。
【００４９】
（ステップＳ１１２）無線基地局２のフレーム送信制御部５２は、無線通信部５４を介して、ステップＳ１１０で受信したフレームの同期情報Ｓを受信装置３に送信する。その後、ステップＳ１１３に進む。
【００５０】
（ステップＳ１１３）無線基地局２のタイミング制御部５３は、アドレス情報Ａを送信する時刻であるか否か判断する。アドレス情報Ａを送信する時刻と判断した場合、ステップＳ１１４に進み、それ以外の場合はステップＳ１１３に戻る。
（ステップＳ１１４）無線基地局２のフレーム送信制御部５２は、無線通信部５４を介して、ステップＳ１１０で受信したフレームのアドレス情報Ａを受信装置３に送信する。その後、ステップＳ１１５に進む。
【００５１】
（ステップＳ１１５）無線基地局２のタイミング制御部５３は、データＤを送信する時刻であるか否か判断する。データＤを送信する時刻と判断した場合、ステップＳ１１４に進み、それ以外の場合はステップＳ１１３に戻る。
【００５２】
（ステップＳ１１６）無線基地局２のフレーム送信制御部５２は、無線通信部５４を介して、ステップＳ１１０で受信したフレームのデータＤを受信装置３に送信する。その後、ステップＳ１０１に戻る。
【００５３】
（ステップＳ１１７）データ配信管理装置１の配信データ有無情報生成部３４４は、配信データ有無情報Ｈを生成する。ステップＳ１０３で配信するデータが無いと判断したため、配信データ有無情報生成部３４４が生成した配信データ有無情報Ｈの値は「０」である。その後、ステップＳ１１８に進む。
【００５４】
（ステップＳ１１８）データ配信管理装置１の同期情報生成部３４１は、ビット同期情報Ｂを生成する。その後、ステップＳ１１９に進む。
（ステップＳ１１９）データ配信管理装置１の同期情報生成部３４１は、フレーム情報Ｆを生成する。その後、ステップＳ１２０に進む。
【００５５】
（ステップＳ１２０）データ配信管理装置１の同期情報生成部３４１は、ステップＳ１１７〜ステップＳ１１９で生成した、配信データ有無情報Ｈと、ビット同期情報Ｂと、フレーム情報Ｆとに基づいて、同期情報Ｓを生成する。また、データ配信管理装置１のデータ配信部３６は、生成した同期情報Ｓを無線基地局２に送信する。無線基地局２のデータ受信部５１は、データ配信管理装置１より送信された同期情報Ｓを受信する。その後、ステップＳ１２１に進む。
【００５６】
（ステップＳ１２１）無線基地局２のタイミング制御部５３は、同期情報Ｓを送信する時刻であるか否か判断する。同期情報Ｓを送信する時刻と判断した場合、ステップＳ１２２に進み、それ以外の場合はステップＳ１２１に戻る。
【００５７】
（ステップＳ１２２）無線基地局２のフレーム送信制御部５２は、無線通信部５４を介して、ステップＳ１２０で受信した同期情報Ｓを受信装置３に送信する。その後、ステップＳ１０１に戻る。
【００５８】
上述したとおり、本実施形態におけるデータ配信管理装置１は、配信データ有無情報Ｈを含んだ同期情報Ｓを生成することができ、本実施形態における無線基地局２は、配信データ有無情報Ｈを含んだ同期情報Ｓを受信装置３に送信することができる。
【００５９】
次に、本実施形態における受信装置３の動作を説明する。図１０は、本実施形態における受信装置３の動作の手順を示したフローチャートである。
【００６０】
（ステップＳ２０１）受信装置３の電源制御部７１４は、スイッチ部７３を制御し、無線通信部７２の無線回路に電源を供給する。その後、ステップＳ２０２に進む。
【００６１】
（ステップＳ２０２）受信装置３の無線通信部７２は、無線基地局２から送信される同期情報Ｓの受信を開始する。その後、ステップＳ２０３に進む。
【００６２】
（ステップＳ２０３）受信装置３の配信データ有無検出部７１１は、無線通信部７２が同期情報Ｓを受信したか否か判断する。同期情報Ｓを受信したと判断した場合、ステップＳ２０４に進み、それ以外の場合はステップＳ２０３に戻る。
【００６３】
（ステップＳ２０４）受信装置３の配信データ有無検出部７１１は、無線通信部７２が受信した同期情報Ｓに含まれる配信データ有無情報Ｈに基づいて、無線基地局２からデータＤが送信されるか否か判断する。具体的には、配信データ有無情報Ｈの値が「１」であれば、無線基地局２からデータＤが送信されると判断し、配信データ有無情報Ｈの値が「０」であれば、無線基地局２からデータＤが送信されないと判断する。送信されると判断した場合、ステップＳ２０５に進み、それ以外の場合はステップＳ２１１に進む。
【００６４】
（ステップＳ２０５）受信装置３の無線通信部７２は、無線基地局２から送信されるアドレス情報Ａを受信する。その後、ステップＳ２０６に進む。
（ステップＳ２０６）受信装置３の配信データ有無検出部７１１は、ステップＳ２０５で受信したアドレス情報Ａに自受信装置に対するアドレス情報Ａが含まれているか否か判断する。含まれていると判断した場合、ステップＳ２０７に進み、それ以外の場合はステップＳ２１１に進む。
【００６５】
（ステップＳ２０７）受信装置３の電源制御部７１４は、自受信装置宛てに送信されたアドレス情報Ａを受信後、スイッチ部７３を制御し、無線通信部７２の無線回路に供給していた電源を一旦遮断する。電源を遮断するタイミングは、あらかじめ自受信装置宛てに送信されるアドレス情報Ａの送信タイミングを定めておき、そのタイミングに従って電源制御部７１４を制御する方法や、自受信装置宛のアドレス情報Ａの最後に送信終了を示す情報を入れて送信し、その情報を受信装置３が検出し電源制御部７１４を制御する方法などが考えられる。その後、ステップＳ２０８に進む。
【００６６】
（ステップＳ２０８）受信装置３の受信時刻設定部７１２は、無線基地局２から自受信装置宛にデータＤが送信される時刻であるか否か判断する。送信される時刻であると判断した場合、ステップＳ２０９に進み、それ以外の場合はステップＳ２０８に戻る。
（ステップＳ２０９）受信装置３の電源制御部７１４は、スイッチ部７３を制御し、無線通信部７２の無線回路に電源を供給する。その後、ステップＳ２１０に進む。
（ステップＳ２１０）受信装置３の無線通信部７２は、無線基地局２から送信される自受信装置宛のデータＤを受信する。その後、ステップＳ２１１に進む。
【００６７】
（ステップＳ２１１）受信装置３の電源制御部７１４は、スイッチ部７３を制御し、無線通信部７２の無線回路に供給していた電源を遮断する。その後、ステップＳ２１２に進む。
【００６８】
（ステップＳ２１２）受信装置３の受信時刻設定部７１２は、無線基地局２から同期情報Ｓが送信される時刻であるか否か判断する。送信される時刻であると判断した場合、ステップＳ２０１に戻り、それ以外の場合はステップＳ２１２に戻る。
【００６９】
次にフレーム内にデータＤが含まれていない（無線基地局２からデータＤが送信されない）場合における受信装置３の無線回路に供給される電源のオン／オフのタイミングの具体例について図１１を参照して説明する。
図１１は、本実施形態における受信装置３の無線通信部７２内の無線回路に供給される電源のオン／オフのタイミングを示す図である。図１１には、フレームに含まれる情報が無線基地局２から送信されるタイミングにおける、受信装置３の無線回路に供給される電源のオン／オフのタイミングが示されている。
【００７０】
図示する例では、フレーム内の同期情報Ｓが無線基地局２から送信されるタイミングにおいて、受信装置３の無線回路に電源が供給されている。また、フレーム内の同期情報Ｓが無線基地局２から送信されるタイミング以外では、受信装置３の無線回路には電源が供給されていない。
【００７１】
また、フレーム内にデータＤが含まれている（無線基地局２からデータＤが送信される）場合における受信装置３の無線回路に供給される電源のオン／オフのタイミングの具体例について図１２を参照して説明する。
【００７２】
図１２は、本実施形態における受信装置３−１〜３−ｎの内、アドレス情報がＡ３である受信装置３−３の無線回路に供給される電源のオン／オフのタイミングを示す図である。
【００７３】
なお、図１２に示す例では、自受信装置３−３に送信されるアドレス情報ＡはＡ３であり、データＤはＤ３である。
【００７４】
図示する例では、フレーム内の同期情報Ｓが無線基地局２から送信され、受信装置３−３宛てに送信されるフレーム内のアドレス情報Ａ３の送信が完了するまで受信装置３−３の無線通信部７２内の無線回路に電源が供給されている。受信装置３−３は、フレーム内のアドレス情報Ａ３の受信が完了すると、データＤ３の送信が開始されるまで、無線通信部７２への電源の供給を遮断する。その後、受信装置３−３宛てのデータＤ３が無線基地局２から送信されるタイミングにおいて、受信装置３−３の無線通信部７２内の無線回路に電源が供給される。フレーム内のデータＤ３の送信が完了した後、次の同期情報Ｓが無線基地局２から送信されるまで、受信装置３−３の無線通信部７２内の無線回路への電源の供給を遮断する。
【００７５】
上述したとおり、本実施形態における受信装置３は、配信データ有無情報Ｈを含んだ同期情報Ｓを受信し、受信した配信データ有無情報Ｈに基づいてデータＤが送信されるか否か判断し、送信されないと判断した場合、電源制御部７１４は無線通信部７２内の無線回路へ供給されている電源を遮断する。これにより、受信装置３が消費する消費電力をより低減させることができる。また、受信装置３が備える電池を長持ちさせることができる。
【００７６】
（第二の実施形態）
次に、本発明の第二の実施形態について図面を参照して説明する。図１３は、本実施形態におけるデータ送受信システムの構成を示した構成図である。図示する例では、データ送受信システムにはデータ配信管理装置１（フレーム生成装置）と、無線基地局２（２−１〜２−ｍ）（送信装置）と、受信装置３（３−１〜３−ｘ）とが含まれる。
【００７７】
データ配信管理装置１と無線基地局２とは有線または無線のネットワークで接続されており、互いに情報を送受信することが可能である。また、無線基地局２は、それぞれ単数または複数の受信装置３と無線のネットワークで接続されており、互いに情報を送受信することが可能である。図示する例では、無線基地局２−１は、受信装置３−１〜３−３と無線のネットワークで接続されており、互いに情報を送受信することができる。その他の無線基地局２−２〜２−ｍについては図示する通りである。
【００７８】
データ配信管理装置１は、無線基地局２を介して受信装置３に送信するフレームを生成する。フレームについては後述する。また、データ配信管理装置１は、作成したフレームを受信装置３に送信するタイミングを管理する。
【００７９】
無線基地局２は、データ配信管理装置１より送信されたフレームを受信装置３に送信する。受信装置３は、データ配信管理装置１より無線基地局２を介して送信されたフレームに含まれる情報を受信する。
【００８０】
なお、本実施形態のデータ送受信システムは、第一の実施形態と同様に、例えば、電子棚札システムである。具体的には、受信装置３は表示部を備えた電子棚札であり、データ配信管理装置１は、無線基地局２を介して、受信装置３の表示部に表示させる商品名および商品の価格等の情報を受信装置３に送信する。また、データ配信管理装置１より送信された商品名および商品の価格等の情報を受信した受信装置３は、受信した商品名および商品の価格等の情報に基づいて、自身が備える表示部に商品名および商品の価格等を表示する。
【００８１】
本実施形態におけるデータ配信管理装置１の物理構成は、第一の実施形態におけるデータ配信管理装置１の物理構成と同様である。
【００８２】
図１４は、本実施形態におけるデータ配信管理装置１の機能構成を示したブロック図である。図示する例では、データ配信管理装置１は、配信データ記憶部３１と、配信データ制御部３２と、接続情報管理部３３と、送信情報生成部３４と、フレームデータ生成部３５と、データ配信部３６とを備える。
【００８３】
また、送信情報生成部３４は、同期情報生成部３４１と、アドレス情報生成部３４２と、データ生成部３４３と、配信データ有無情報生成部３４４と、アドレス情報送信開始情報生成部３４５とを備える。
【００８４】
配信データ記憶部３１と、配信データ制御部３２と、接続情報管理部３３と、送信情報生成部３４は、フレームデータ生成部３５と、データ配信部３６と、同期情報生成部３４１と、アドレス情報生成部３４２と、データ生成部３４３とは、第一の実施形態における各部と同様である。アドレス情報送信開始情報生成部３４５は、後述するアドレス情報送信開始情報Ａｔを生成する。
【００８５】
本実施形態における無線基地局２の物理構成は、第一の実施形態における無線基地局２の物理構成と同様である。
【００８６】
図１５は、本実施形態における受信装置３の機能構成を示したブロック図である。図示する例では、受信装置３は、制御部７１と、無線通信部７２と、スイッチ部７３と、電池７４とを備える。
【００８７】
また、制御部７１は、配信データ有無検出部７１１と、受信時刻設定部７１２と、時刻情報部７１３と、電源制御部７１４と、アドレス情報記憶部７１５と、アドレス情報送信開始時刻検出部７１６とを備える。
【００８８】
制御部７１と、無線通信部７２と、スイッチ部７３と、電池７４と、配信データ有無検出部７１１と、受信時刻設定部７１２と、時刻情報部７１３と、電源制御部７１４と、アドレス情報記憶部７１５とは第一の実施形態における各部と同様である。アドレス情報送信開始時刻検出部７１６は、無線基地局２からアドレス情報Ａが送信される時刻を検出する。
【００８９】
本実施形態では、無線基地局２が図１３に示すように複数存在するため、各無線基地局２−１〜２−ｍは、各々重なり合わないよう、各情報を対応する受信装置３−１〜３−ｘに送信する。例えば、各無線基地局２は、順に同期情報Ｓを送信する。図１６は無線基地局２−１〜２−ｍが情報を送信するタイミングを示した図である。図示する例では、無線基地局２−１が同期情報Ｓ１を送信した後、次に無線基地局２−２が同期信号Ｓ１に重ならないタイミングで同期情報Ｓ２を送信する。
【００９０】
全ての無線基地局２が順に同期情報Ｓを送信し、最後の無線基地局２−ｍが同期信号Ｓｍを送信した後、各無線基地局２−１〜２−ｍはアドレス情報Ａ１〜Ａｍを順次重なり合わないタイミングで送信する。例えば、無線基地局２−１が同期情報Ｓ１を送信した後、次に無線基地局２−２が同期情報Ｓを送信する。全ての無線基地局２が順に同期情報Ｓを送信した後、無線基地局２−１はアドレス情報Ａ１を送信する。
【００９１】
全ての無線基地局２が順にアドレス情報Ａを送信し、最後の無線基地局２−ｍがアドレス信号Ａｍを送信した後、各無線基地局２−１〜２−ｍは、データＤ１〜Ｄｍを順次重なり合わないタイミングで送信する。これらの情報信号の送信の制御は、データ配信管理装置１が行う。例えば、全ての無線基地局２が順にアドレス情報Ａを送信した後、無線基地局２−１はデータＤ１を送信する。同様に、全ての無線基地局２は順にデータＤを送信する。
【００９２】
次に、本実施形態におけるフレームの構成について説明する。図１７は、本実施形態におけるフレームの構成を示した構成図である。フレームは、同期情報Ｓと、アドレス情報Ａと、データＤとを含む。
【００９３】
図示する例は、図１３の受信装置３−１〜３−ｘが８つの場合を示し、１つのフレームに、同期情報Ｓと、アドレス情報Ａ１〜Ａ８と、データＤ１〜Ｄ８とが順に含まれている。
本実施形態では、同期情報Ｓの送信が完了した後から、アドレス情報Ａの送信を開始するまでの間に間隔がある。また、アドレス情報Ａの送信が完了した後から、データＤの送信を開始するまでの間に間隔がある。
【００９４】
これらの間隔は、図１３に示されるデータ送受信システムにおける複数の無線基地局２−１〜２−ｍが送信する複数の同期情報Ｓ１〜Ｓｍの送受信と、複数の受信装置３−１〜３−ｘ宛のアドレス情報Ａ１〜Ａｍの送受信のために設けられている。この間隔は、設置される無線基地局２および受信装置３の数により変動する。
【００９５】
同期情報の構成例として、図１７に示した例では、同期情報Ｓにはビット同期情報Ｂと、フレーム情報Ｆと、配信データ有無情報Ｈと、アドレス情報送信開始情報Ａｔが含まれている。
なお、上述において、複数の無線基地局２−１〜２−ｍのうち、１つの無線基地局が同期情報Ｓと、アドレス情報Ａと、データＤとを送信している間、他の無線基地局は送信を行わない構成であってもよい。また、この制御はデータ配信管理装置１が行う。
【００９６】
同期情報Ｓは、ビット同期情報Ｂと、フレーム情報Ｆと、配信データ有無情報Ｈと、アドレス情報送信開始情報Ａｔとからなる情報である。ビット同期情報Ｂは、無線基地局２と、受信装置３との同期を合わせるための情報である。フレーム情報Ｆは、無線基地局２が送信する本フレームの情報を受信装置３に知らせるための情報である。例えは、フレーム情報Ｆは、無線基地局２のＩＤ情報や、フレームの周期情報など、受信装置３が無線基地局２と同期をとり動作するために必要な情報である。
【００９７】
アドレス情報送信開始情報Ａｔは、フレーム内でアドレス情報Ａの送信が開始されるタイミングを示す情報である。
【００９８】
配信データ有無情報Ｈは、本フレーム内にデータＤが含まれているか否かを示す情報である。例えば、配信データ有無情報は１ビット（ｂｉｔ）で表され、本フレーム内にデータＤが含まれている場合は「１」であり、本フレーム内にデータＤが含まれていない場合は「０」である。なお、配信データ有無情報Ｈのデータ量は出来るだけ少ない量（例えば、１ｂｉｔ）とする。また、アドレス情報送信開始情報Ａｔが設定されていない場合は、配信データがフレームに含まれていないと判断することにより、配信データ有無情報Ｈを省略することも可能である。
【００９９】
アドレス情報Ａは、データＤが送信される本フレーム内のアドレスを示す。データＤは、受信装置３に送信するデータである。例えば、受信装置３が電子棚札の場合では、データＤは商品名および商品の価格等の情報である。
【０１００】
次に、本実施形態におけるデータ配信管理装置１と無線基地局２との動作を説明する。図１８は、本実施形態におけるデータ配信管理装置１と無線基地局２との動作の手順を示したフローチャートである。
【０１０１】
ステップＳ３０１〜ステップＳ３０６の処理は、第一の実施形態におけるステップＳ１０１〜ステップＳ１０６の処理と同様である。
【０１０２】
（ステップＳ３０６´）データ配信管理装置１のアドレス情報送信開始情報生成部３４５は、アドレス情報送信開始情報Ａｔを生成する。その後、ステップＳ３０７に進む。
【０１０３】
（ステップＳ３０７）データ配信管理装置１の同期情報生成部３４１は、ステップＳ３０４〜ステップＳ３０６´で生成した、配信データ有無情報Ｈと、ビット同期情報Ｂと、フレーム情報Ｆと、アドレス情報送信開始情報Ａｔに基づいて、同期情報Ｓを生成する。その後、ステップＳ３０８に進む。
【０１０４】
ステップＳ３０８〜ステップＳ３２２の処理は、第一の実施形態におけるステップＳ１０８〜ステップＳ１２２の処理と同様である。
【０１０５】
上述したとおり、本実施形態におけるデータ配信管理装置１は、アドレス情報送信開始情報Ａｔを含んだ同期情報Ｓを生成することができ、本実施形態における無線基地局２は、アドレス情報送信開始情報Ａｔを含んだ同期情報Ｓを受信装置３に送信することができる。
【０１０６】
次に、本実施形態における受信装置３の動作を説明する。図１９は、本実施形態における受信装置３の動作の手順を示したフローチャートである。
【０１０７】
（ステップＳ４０１）受信装置３の電源制御部７１４は、スイッチ部７３を制御し、自受信装置宛の同期情報Ｓの送信に合わせて、無線通信部７２の無線回路に電源を供給する。その後、ステップＳ４０２に進む。
【０１０８】
（ステップＳ４０２）受信装置３の無線通信部７２は、無線基地局２から送信される同期情報Ｓの受信を開始する。その後、ステップＳ４０３に進む。
【０１０９】
（ステップＳ４０３）受信装置３の配信データ有無検出部７１１は、無線通信部７２が自受信装置宛の同期情報Ｓを受信したか否か判断する。同期情報Ｓを受信したと判断した場合、ステップＳ４０４に進み、それ以外の場合はステップＳ４０３に戻る。
【０１１０】
（ステップＳ４０４）受信装置３の配信データ有無検出部７１１は、無線通信部７２が受信した同期情報Ｓに含まれる配信データ有無情報Ｈに基づいて、無線基地局２からデータＤが送信されるか否か判断する。具体的には、配信データ有無情報Ｈの値が「１」であれば、無線基地局２からデータＤが送信されると判断し、配信データ有無情報Ｈの値が「０」であれば、無線基地局２からデータＤが送信されないと判断する。送信されると判断した場合、ステップＳ４０５に進み、それ以外の場合はステップＳ４１５に進む。
【０１１１】
（ステップＳ４０５）受信装置３のアドレス情報送信開始時刻検出部７１６は、無線通信部７２が受信した同期情報Ｓに含まれるアドレス情報送信開始情報Ａｔに基づいて、無線基地局２からアドレス情報Ａが送信される時刻を検出する。その後、ステップＳ４０６に進む。
【０１１２】
（ステップＳ４０６）受信装置３の電源制御部７１４は、スイッチ部７３を制御し、無線通信部７２の無線回路に供給していた電源を一旦遮断する。電源を遮断するタイミングは、あらかじめ自受信装置宛てに送信される同期情報Ｓの送信時間を定めておき、その時間に従って電源制御部７１４を制御する方法や、自受信装置宛の同期情報Ｓの最後に送信終了を示す情報を入れて送信し、その情報を受信装置３が検出し電源制御部７１４を制御する方法などが考えられる。その後、ステップＳ４０７に進む。
【０１１３】
（ステップＳ４０７）受信装置３の受信時刻設定部７１２は、無線基地局２から自受信装置宛にアドレス情報Ａが送信される時刻であるか否か判断する。送信される時刻であると判断した場合、ステップＳ４０８に進み、それ以外の場合はステップＳ４０７に戻る。
【０１１４】
（ステップＳ４０８）受信装置３の電源制御部７１４は、スイッチ部７３を制御し、無線通信部７２の無線回路に電源を供給する。その後、ステップＳ４０９に進む。
【０１１５】
（ステップＳ４０９）受信装置３の無線通信部７２は、無線基地局２から送信されるアドレス情報Ａを受信する。その後、ステップＳ４１０に進む。
【０１１６】
（ステップＳ４１０）受信装置３の配信データ有無検出部７１１は、ステップＳ４０９で受信したアドレス情報Ａに自受信装置に対するアドレス情報Ａが含まれているか否か判断する。含まれていると判断した場合、ステップＳ４１１に進み、それ以外の場合はステップＳ４１５に進む。
【０１１７】
（ステップＳ４１１）受信装置３の電源制御部７１４は、スイッチ部７３を制御し、無線通信部７２の無線回路に供給していた電源を遮断する。電源を遮断するタイミングは、あらかじめ自受信装置に送信されるアドレス情報Ａの送信タイミングを定めておき、そのタイミングに従って電源制御部７１４を制御する方法や、自受信装置宛のアドレス情報Ａの最後に送信終了を示す情報を入れて送信し、その情報を受信装置３が検出し電源制御部７１４を制御する方法などが考えられる。その後、ステップＳ４１２に進む。
【０１１８】
（ステップＳ４１２）受信装置３の受信時刻設定部７１２は、無線基地局２から自受信装置３宛にデータＤが送信される時刻であるか否か判断する。送信される時刻であると判断した場合、ステップＳ４１３に進み、それ以外の場合はステップＳ４１２に戻る。
【０１１９】
（ステップＳ４１３）受信装置３の電源制御部７１４は、スイッチ部７３を制御し、無線通信部７２の無線回路に電源を供給する。その後、ステップＳ４１４に進む。
【０１２０】
（ステップＳ４１４）受信装置３の無線通信部７２は、無線基地局２から送信されるデータＤを受信する。その後、ステップＳ４１５に進む。
【０１２１】
（ステップＳ４１５）受信装置３の電源制御部７１４は、スイッチ部７３を制御し、無線通信部７２の無線回路に供給していた電源を遮断する。その後、ステップＳ４１６に進む。
（ステップＳ４１６）受信装置３の受信時刻設定部７１２は、無線基地局２から自受信装置宛の同期情報Ｓが送信される時刻であるか否か判断する。送信される時刻であると判断した場合、ステップＳ４０１に戻り、それ以外の場合はステップＳ４１６に戻る。
【０１２２】
フレーム内にデータＤが含まれていない（無線基地局２からデータＤが送信されない）場合における受信装置３の無線回路に供給される電源のオン／オフのタイミングの具体例については、第一の実施形態の図１１に示した例と同様である。
次にフレーム内にデータＤが含まれている（無線基地局２からデータＤが送信される）場合における受信装置３の無線回路に供給される電源のオン／オフのタイミングの具体例について図２０を参照して説明する。
図２０は、本実施形態における受信装置３の内、無線基地局２−１と通信し、アドレス情報がＡ３である受信装置３−３の無線通信部７２内の無線回路に供給される電源のオン／オフのタイミングを示す図である。なお、図２０に示す例では、受信装置３−３に送信されるアドレス情報ＡはＡ３であり、データＤはＤ３である。
【０１２３】
図示する例で受信装置３−３は、受信装置３−３と通信する無線基地局２−１から自受信装置宛の同期情報Ｓが送信されるタイミングで、受信装置３−３の無線通信部７２内の無線回路に電源を供給する。無線基地局２−１からの同期信号Ｓの送信が終了すると、受信装置３−３は、無線通信部７２内の無線回路への電源の供給を遮断する。すなわち、フレーム内の同期情報Ｓの送信が完了し、アドレス情報Ａ１の送信が開始されるまで、受信装置３−３の無線回路には電源が供給されていない。
【０１２４】
次にアドレス情報開始時刻Ａｔを計測し、フレーム内のアドレス情報Ａの送信開始時刻に合わせて無線通信部７２内の無線回路への電源の供給を開始する。これにより、受信装置３−３宛てに送信されるアドレス情報Ａ３の送信が完了するまで受信装置３−３の無線通信部７２内の無線回路に電源が供給される。すなわち、フレーム内のアドレス情報Ａ１からＡ３が無線基地局２から送信されるタイミングで受信装置３−３の無線回路に電源が供給されている。
【０１２５】
受信装置３−３は、フレーム内のアドレス情報Ａ３の受信が完了すると、自受信装置宛のデータＤ３の送信が開始されるまで、無線通信部７２内の無線回路への電源の供給を遮断する。すなわち、フレーム内のアドレス情報Ａ３の送信が完了し、データＤ３の送信が開始されるまで、受信装置３−３の無線回路には電源が供給されていない。その後、受信装置３−３宛てのデータＤ３が無線基地局２から送信されるタイミングにおいて、受信装置３−３の無線通信部７２内の無線回路に再度、電源が供給される。
【０１２６】
フレーム内の自受信装置宛のデータＤ３の送信が完了した後、次の自受信装置宛の同期情報Ｓが無線基地局２−１から送信されるまで、受信装置３−３の無線通信部７２内の無線回路への電源の供給を遮断する。すなわち、フレーム内のデータＤ３の送信が完了した後、受信装置３−３の無線回路には電源が供給されていない。
【０１２７】
上述したとおり、本実施形態における受信装置３は、アドレス情報送信開始情報Ａｔを含んだ同期情報Ｓを受信し、受信したアドレス情報送信開始情報Ａｔに基づいて、アドレス情報Ａが送信される時刻を検出し、検出した時刻に基づいて、アドレス情報Ａが送信される時刻まで、電源制御部７１４は無線通信部７２内の無線回路へ供給されている電源を遮断する。これにより、受信装置３が消費する消費電力をより低減させることができる。また、受信装置３が備える電池を長持ちさせることができる。
【０１２８】
（第三の実施形態）
次に、本発明の第三の実施形態について図面を参照して説明する。本実施形態は、第二の実施形態で説明をしたアドレス情報送信開始情報であるアドレス情報開始時刻Ａｔを第一の実施形態に適用した実施形態である。
データ配信管理装置１、受信装置３の構成、および、フローチャートは第二の実施形態と同じであるため、ここでの説明は省略する。
【０１２９】
図２１は、第三の実施形態において、図１に示される受信装置３−１〜３−ｎの内、アドレス情報がＡ３である受信装置３−３の無線通信部７２内の無線回路に供給される電源のオン／オフのタイミングを示す図である。なお、図２１に示す例では、受信装置３−３に送信されるアドレス情報ＡはＡ３であり、データＤはＤ３である。
【０１３０】
図示する例では、フレーム内の同期情報Ｓの、無線基地局２からの送信が終了すると、自受信装置３−３は、無線通信部７２への電源の供給を遮断する。その後、アドレス情報開始時刻Ａｔを計測し、受信装置３−３宛てに送信されるフレーム内のアドレス情報Ａ３の送信開始に合わせて無線通信部７２への電源の供給を開始する。これにより、受信装置３−３宛てに送信されるフレーム内のアドレス情報Ａ３の送信が完了するまで受信装置３−３の無線通信部７２内の無線回路に電源が供給される。受信装置３−３は、フレーム内のアドレス情報Ａ３の受信が完了すると、データＤ３の送信が開始されるまで、無線通信部７２内の無線回路への電源の供給を遮断する。その後、受信装置３−３宛てのデータＤ３が無線基地局２から送信されるタイミングにおいて、受信装置３−３の無線通信部７２内の無線回路に電源が供給される。フレーム内のデータＤ３の送信が完了した後、次の同期情報Ｓが無線基地局２から送信されるまで、受信装置３−３の無線通信部７２内の無線回路への電源の供給を遮断する。
【０１３１】
尚、本実施形態では受信装置３−３宛てに送信されるフレーム内のアドレス情報Ａ３の送信の開始のタイミングは、アドレス情報開始時刻Ａｔにより定めたが、あらかじめ自受信装置３−３に送信されるアドレス情報Ａ３の送信タイミングを定めておき、そのタイミングに従って無線通信部７２内の無線回路への電源の供給を制御してもよい。
【０１３２】
（第四の実施形態）
次に、本発明の第四の実施形態について図面を参照して説明する。尚、データ配信管理装置１、受信装置３の構成、および、フローチャートは第二の実施形態と同じであるため、ここでの説明は省略する。
図２２は、第四の実施形態において、図１３に示される受信装置３−１〜３−ｘの内、無線基地局２−１と通信し、アドレス情報がＡ３である受信装置３−３の無線通信部７２内の無線回路に供給される電源のオン／オフのタイミングを示す図である。なお、図２２に示す例では、受信装置３−３に送信されるアドレス情報ＡはＡ３であり、データＤはＤ３である。
図示する例で受信装置３−３は、受信装置３−３と通信する無線基地局２−１から自受信装置宛の同期情報Ｓが送信されるタイミングで、受信装置３−３の無線通信部７２内の無線回路に電源を供給する。無線基地局２−２からの同期信号Ｓの送信が終了すると、受信装置３−３は、無線通信部７２内の無線回路への電源の供給を遮断する。
【０１３３】
次にアドレス情報開始時刻Ａｔを計測し、フレーム内の受信装置３−３宛てに送信されるアドレス情報Ａ３の送信開始時刻に合わせて無線通信部７２内の無線回路への電源の供給を開始する。尚、本実施形態におけるアドレス情報送信開始情報Ａｔは、フレーム内で受信装置３−３宛のアドレス情報Ａ３の送信が開始されるタイミングを示す情報である。これにより、受信装置３−３宛てに送信されるアドレス情報Ａ３の送信が完了するまで受信装置３−３の無線通信部７２内の無線回路に電源が供給される。受信装置３−３は、フレーム内のアドレス情報Ａ３の受信が完了すると、自受信機宛のデータＤ３の送信が開始されるまで、無線通信部７２内の無線回路への電源の供給を遮断する。その後、受信装置３−３宛てのデータＤ３が無線基地局２から送信されるタイミングにおいて、受信装置３−３の無線通信部７２内の無線回路に電源が供給される。
【０１３４】
フレーム内のデータＤ３の送信が完了した後、次の受信装置３−３宛の同期情報Ｓが無線基地局２−１から送信されるまで、受信装置３−３の無線通信部７２内の無線回路への電源の供給を遮断する。
第三、第四の実施形態によれば、受信装置３が消費する消費電力を更に低減させることができ、受信装置３が備える電池の更なる長寿命化が可能となる。
【０１３５】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【０１３６】
本発明は、無線通信を行うための、フレーム生成装置、受信装置、データ送受信、フレーム生成方法および受信方法に適用可能であり、受信装置が消費する消費電力をより低減させる。
【符号の説明】
【０１３７】
１    データ配信管理装置、
２，２−１〜２−ｍ    無線基地局、
３−１〜３−ｎ，３−１〜３−ｘ    受信装置、
２１，４１，６１    ＣＰＵ、
２２，４２，６２    ＲＯＭ、
２３，４３，６３    ＲＡＭ、
２４，６５    表示部、
２５，４５    データインタフェース、
２６    入力部、
３１    配信データ記憶部、
３２    配信データ制御部、
３３    接続情報管理部、
３４    送信情報生成部、
３５    フレームデータ生成部、
３６    データ配信部、
４４，６４    無線回路、
５１    データ受信部、
５２    フレーム送信制御部、
５３    タイミング制御部、
５４，７２    無線通信部、
６６，７４    電池、
７１    制御部、
７３    スイッチ部、
３４１    同期情報生成部、
３４２    アドレス情報生成部、
３４３    データ生成部、
３４４    配信データ有無情報生成部、
３４５    アドレス情報送信開始情報生成部、
７１１    配信データ有無検出部、
７１２    受信時刻設定部、
７１３    時間情報部、
７１４    電源制御部、
７１５    アドレス情報記憶部、
７１６    アドレス情報送信開始時刻検出部
【図１】
2014099903.tif 000003
【図２】
2014099903.tif 000004
【図３】
2014099903.tif 000005
【図４】
2014099903.tif 000006
【図５】
2014099903.tif 000007
【図６】
2014099903.tif 000008
【図７】
2014099903.tif 000009
【図８】
2014099903.tif 000010
【図９】
2014099903.tif 000011
【図１０】
2014099903.tif 000012
【図１１】
2014099903.tif 000013
【図１２】
2014099903.tif 000014
【図１３】
2014099903.tif 000015
【図１４】
2014099903.tif 000016
【図１５】
2014099903.tif 000017
【図１６】
2014099903.tif 000018
【図１７】
2014099903.tif 000019
【図１８】
2014099903.tif 000020
【図１９】
2014099903.tif 000021
【図２０】
2014099903.tif 000022
【図２１】
2014099903.tif 000023
【図２２】
2014099903.tif 000024